(57)【要約】  【課題】      パーティションへの取り付けが簡便であり、しかも、吊り下げあるいは掛止する物品が大重量であってもパーティションから脱落することがない吊掛機能付パーティション用枠材、およびこれを用いたパーティション装置を提供する。  【解決手段】  吊掛機能付パーティション用枠材10は、パーティションAの上面に配置される長尺の接続部12と、接続部12の幅方向一方端縁から下方へ向けて延び、パーティションAの前面に配置されるパーティション前面当接部14と、接続部12の幅方向他方端縁から下方へ向けて延び、パーティションAの背面に配置されるパーティション背面当接部16とで構成されている。  本発明によれば、接続部12、パーティション前面当接部14、およびパーティション背面当接部16で囲まれた嵌合凹部CにパーティションAの上縁を嵌め込むだけでその取り付けが完了する。【選択図】      図２
2005083146.tif 000002
【特許請求の範囲】
【請求項１】
パーティションの上面に配置される長尺の接続部と、前記接続部の幅方向一方端縁から下方へ向けて延び、前記パーティションの前面に配置されるパーティション前面当接部と、前記接続部の幅方向他方端縁から下方へ向けて延び、前記パーティションの背面に配置されるパーティション背面当接部とを備え、
前記接続部、前記パーティション前面当接部、および前記パーティション背面当接部のうち少なくともいずれか一つには吊掛部より開口部の方が狭い断面略Ｔ状の溝が長手方向全長に亘り凹設されていることを特徴とする吊掛機能付パーティション用枠材。
【請求項２】
前記吊掛機能付パーティション用枠材は、前記溝に摺動自在に取り付けられる掛止部材をさらに備えることを特徴とする請求項１に記載の吊掛機能付パーティション用枠材。
【請求項３】
前記吊掛機能付パーティション用枠材は、前記溝に嵌合される長尺の蓋部材をさらに備えることを特徴とする請求項１または２に記載の吊掛機能付パーティション用枠材。
【請求項４】
パーティションの上面に配置される長尺の接続部と、前記接続部の幅方向一方端縁から下方へ向けて延び、前記パーティションの前面に配置されるパーティション前面当接部と、前記接続部の幅方向他方端縁から下方へ向けて延び、前記パーティションの背面に配置されるパーティション背面当接部とを備え、
前記パーティション前面当接部、および前記パーティション背面当接部のうち少なくともいずれか一方には、係止用開口が上向きに形成されている断面略Ｌ状の掛止部が長手方向全長に亘り形成されていることを特徴とする吊掛機能付パーティション用枠材。
【請求項５】
前記パーティション前面当接部と前記パーティション背面当接部との内幅は、パーティションの幅と略等しく設定されていることを特徴とする請求項１から４のいずれかに記載の吊掛機能付パーティション用枠材。
【請求項６】
前記接続部は、前記パーティション前面当接部に接続される第１接続部材と、前記パーティション背面当接部に接続される第２接続部材とで構成されており、
前記第１接続部材は、長手方向に延びる突条を有し、前記第２接続部材に向けて延びる噛合凸部を備え、
前記第２接続部材は、幅方向に所定間隔を隔てて配列され、前記突条と対応する複数の凹条を有し、噛合凸部と噛合する噛合凹部を備えることを特徴とする請求項１から４のいずれかに記載の吊掛機能付パーティション用枠材。
【請求項７】
前記吊掛機能付パーティション用枠材における前記パーティションと対向する側の面には、緩衝材が配設されていることを特徴とする請求項１から６の何れかに記載の吊掛機能付パーティション用枠材。
【請求項８】
パーティションと、前記パーティションに取り付けられる吊掛機能付パーティション用枠材とで構成されるパーティション装置において、
前記吊掛機能付パーティション用枠材は前記請求項１から７のいずれかに記載の吊掛機能付パーティション用枠材であることを特徴とするパーティション装置。
【発明の詳細な説明】
【技術分野】
【０００１】
本発明は、室内等の空間を複数のブロックに仕切るのに用いられるパーティションに着脱自在に取り付けられ、種々の物品を吊り下げ、あるいは掛止できるようにした吊掛機能付パーティション用枠材、およびこれを用いたパーティション装置に関するものである。
【背景技術】
【０００２】
室内等の空間を複数のブロックに仕切る手段としてパーティションを使用するのが一般的である。かかるパーティションには物品を吊り掛けるための機能（たとえば溝など）が付与されていないのが一般的であるため、従来では、図１４に示すような吊掛用具(1)をパーティション(A)に取り付け、パーティション(A)に物品吊掛機能を付与するようにしていた（例えば、特許文献１参照）。
【０００３】
上記吊掛用具(1)は、長尺のレール部材(2)と吊下部材(3)とで構成されている。レール部材(2)には壁面と対向する側に開口する溝(4)が長手方向全長に亘って形成されており、開口部(2a)の縁に設けられた開口縁部(2b)には吊下部材(3)の係合フック部(3a)が摺動自在に係止できるようになっている。吊掛用具(1)の使用時には、レール部材(2)をパーティション(A)の壁面（特に上縁部に設けられた枠）に取り付け、吊下部材(3)の引掛部(3b)に物品等を吊り下げる。
【特許文献１】特開平８−１７３３０１号公報（図３）
【発明の開示】
【発明が解決しようとする課題】
【０００４】
吊掛用具(1)をパーティション(A)に取り付ける際には接着等の手段を用いていたが、この取付作業が非常に面倒であるという問題があった。
【０００５】
また、吊掛用具(1)は、垂直に立設したパーティション(A)の壁面に取り付けられるため、物品が大重量の場合には吊掛用具(1)がその取付強度に抗してパーティション(A)から脱落してしまうという問題もあった。
【０００６】
本発明の目的は、パーティションへの取り付けが簡便であり、しかも、吊り下げあるいは掛止する物品が大重量であってもパーティションから脱落することがない吊掛機能付パーティション用枠材、およびこれを用いたパーティション装置を提供することである。
【課題を解決するための手段】
【０００７】
請求項１に記載の発明は、「パーティション(A)の上面に配置される長尺の接続部(12)と、接続部(12)の幅方向一方端縁から下方へ向けて延び、パーティション(A)の前面に配置されるパーティション前面当接部(14)と、接続部(12)の幅方向他方端縁から下方へ向けて延び、パーティション(A)の背面に配置されるパーティション背面当接部(16)とを備え、接続部(12)、パーティション前面当接部(14)、およびパーティション背面当接部(16)のうち少なくともいずれか一つには吊掛部(18b)より開口部(18a)の方が狭い断面略Ｔ状の溝(18)が長手方向全長に亘り凹設されている」ことを特徴とするものである。
【０００８】
この発明によれば、吊掛機能付パーティション用枠材(10)(40)(42)(46)の断面が略コ状に形成されることになるので、接続部(12)、パーティション前面当接部(14)およびパーティション背面当接部(16)で囲まれた嵌合凹部(C)とパーティション(A)の上縁とが嵌合できる。したがって、パーティション(A)の上縁に吊掛機能付パーティション用枠材(10)(40)(42)(46)を嵌め込むという非常に簡単な手段でその取り付けが完了する。
【０００９】
また、吊掛機能付パーティション用枠材(10)(40)(42)(46)がパーティション(A)に取り付けられた状態においては、吊掛機能付パーティション用枠材(10)(40)(42)(46)がパーティション(A)の上面に載置されることになるので、吊掛機能付パーティション用枠材(10)(40)(42)(46)の溝(18)に大重量の物品(G)を吊り下げ、あるいは掛止させた場合であっても、吊掛機能付パーティション用枠材(10)(40)(42)(46)がパーティション(A)から脱落することはない。
【００１０】
請求項２に記載の発明は、「吊掛機能付パーティション用枠材(10)(40)(42)(46)は、溝(18)に摺動自在に取り付けられる掛止部材(22)をさらに備える」ことを特徴とするものである。
【００１１】
この発明によれば、掛止部材(22)が溝(18)に摺動自在に取り付けられるので、掛止部材(22)を水平方向に移動させることで掛止部材(22)に吊り下げられた物品(G)を水平方向の任意の位置に配置することができる。
【００１２】
請求項３に記載の発明は、「吊掛機能付パーティション用枠材(10)(40)(42)(46)は、溝(18)に嵌合される長尺の蓋部材(30)をさらに備える」ことを特徴とするものである。
【００１３】
この発明によれば、溝(18)が蓋部材(30)によって覆われることになるので、溝(18)内に埃等が溜まることはなく、また、溝(18)内に収納した配線等の目隠しとしても機能する。
【００１４】
請求項４に記載の発明は、「パーティション(A)の上面に配置される長尺の接続部(12)と、接続部(12)の幅方向一方端縁から下方へ向けて延び、パーティション(A)の前面に配置されるパーティション前面当接部(14)と、接続部(12)の幅方向他方端縁から下方へ向けて延び、パーティション(A)の背面に配置されるパーティション背面当接部(16)とを備え、パーティション前面当接部(14)、およびパーティション背面当接部(16)のうち少なくともいずれか一方には、掛止用開口(54)が上向きに形成されている断面略Ｌ状の掛止部(52)が長手方向全長に亘り形成されている」ことを特徴とするものである。
【００１５】
この発明によれば、請求項１と同様、吊掛機能付パーティション用枠材(50)(56)の断面が略コ状に形成されることになるので、接続部(12)、パーティション前面当接部(14)およびパーティション背面当接部(16)で囲まれた嵌合凹部(C)とパーティション(A)の上縁とが嵌合できる。したがって、パーティション(A)の上縁に吊掛機能付パーティション用枠材(50)(56)を嵌め込むという非常に簡単な手段でその取り付けが完了する。
【００１６】
また、吊掛機能付パーティション用枠材(50)(56)がパーティション(A)に取り付けられた状態においては、吊掛機能付パーティション用枠材(50)(56)がパーティション(A)の上面に載置されることになるので、吊掛機能付パーティション用枠材(50)(56)の溝(18)に吊り下げ、あるいは掛止する物品(G)の重量が大重量となっても吊掛機能付パーティション用枠材(50)(56)がパーティション(A)から脱落することはない。
【００１７】
請求項５に記載の発明は、「パーティション前面当接部(14)とパーティション背面当接部(16)との内幅(D)は、パーティション(A)の幅(d)と略等しく設定されている」ことを特徴とするものである。
【００１８】
この発明によれば、吊掛機能付パーティション用枠材(10)(40)(42)(46)(50)(56)(58)をパーティション(A)に装着した際、吊掛機能付パーティション用枠材(10)(40)(42)(46)(50)(56)(58)とパーティション(A)との間に隙間が生じることはない。
【００１９】
請求項６に記載の発明は、「接続部(62)は、パーティション前面当接部(14)に接続される第１接続部材(64)と、パーティション背面当接部(16)に接続される第２接続部材(66)とで構成されており、第１接続部材(64)は、長手方向に延びる突条(64b)を有し、第２接続部材(66)に向けて延びる噛合凸部(64a)を備え、第２接続部材(66)は、幅方向に所定間隔を隔てて配列され、突条(64b)と対応する複数の凹条(66b)を有し、噛合凸部(64a)と噛合する噛合凹部(66a)を備える」ことを特徴とするものである。
【００２０】
この発明によれば、噛合凸部(64a)と噛合凹部(66a)との噛合位置を調整することによりパーティション前面当接部(14)とパーティション背面当接部(16)との内幅(D)を調整できるので、幅(d)の異なるパーティション(A)であっても一種類の吊掛機能付パーティション用枠材(60)で取り付けることができる。
【００２１】
請求項７に記載の発明は、「吊掛機能付パーティション用枠材(10)(40)(42)(46)(50)(56)(58)(60)におけるパーティション(A)と対向する側の面には、緩衝材が配設されている」ことを特徴とするものである。
【００２２】
この発明によれば、吊掛機能付パーティション用枠材(10)(40)(42)(46)(50)(56)(58)(60)とパーティション(A)とが直接接触することがないので摩擦等による損傷や異音の発生を防止することができる。
【００２３】
請求項８に記載の発明は、「パーティション(A)と、パーティション(A)に取り付けられる吊掛機能付パーティション用枠材とで構成されるパーティション装置(100)において、吊掛機能付パーティション用枠材は請求項１から７のいずれかに記載の吊掛機能付パーティション用枠材(10)(40)(42)(46)(50)(56)(58)(60)である」ことを特徴とするものである
この発明によれば、最初から吊掛機能が付いたパーティション装置(100)を提供することができるので、従来のように後から吊掛機能をパーティションに付与する手間を省くことができる。
【発明の効果】
【００２４】
請求項１および４に記載の発明によれば、パーティションの上縁に吊掛機能付パーティション用枠材を嵌め込むだけでその取り付けが完了するので、その取付作業が非常に容易である。
【００２５】
また、吊掛機能付パーティション用枠材がパーティションの上面に載置されるので、大重量の物品を吊掛機能付パーティション用枠材に吊り下げ、あるいは掛止する場合であっても吊掛機能付パーティション用枠材がパーティションから脱落することはない。
【００２６】
請求項２に記載の発明によれば、掛止部材を水平方向に移動させることで掛止部材に吊り下げられた物品を水平方向の任意の位置に配置することができる。
【００２７】
請求項３に記載の発明によれば、溝内に埃等が溜まることはないし、また、溝内に収納した配線等の目隠しとしても機能する。
【００２８】
請求項５に記載の発明によれば、吊掛機能付パーティション用枠材とパーティションとの間に隙間が生じることがないので、吊掛機能付パーティション用枠材が幅方向にずれることはない。
【００２９】
請求項６に記載の発明によれば、厚みの異なるパーティションであっても一種類の吊掛機能付パーティション用枠材で取り付けることができる。
【００３０】
請求項７に記載の発明によれば、吊掛機能付パーティション用枠材およびパーティションの双方において摩擦等による損傷や異音の発生を防止することができる。
【００３１】
請求項８に記載の発明によれば、最初から吊掛機能が付与されているので、従来のように後から吊掛機能をパーティションに付与する必要がない。
【発明を実施するための最良の形態】
【００３２】
以下、本発明を図面に従って詳述する。図１に示すように、パーティション装置(100)は、パーティション(A)と吊掛機能付パーティション用枠材(10)とで構成されている。
【００３３】
パーティション(A)は、部屋等の空間を複数のブロックに区切るためのものであり、設置面に対して立設されたボード(A1)と、ボード(A1)の上縁に必要に応じて取り付けられる枠材(A2)とで構成されている。
【００３４】
ボード(A1)は、幅広の板状部材であり、その大きさは用途によって適宜設定され、材質としては木材、ガラス、アルミなどの金属、あるいは合成樹脂などを用いることができる。
【００３５】
枠材(A2)は、ボード(A1)の上縁に必要に応じて設けられる筒状の長尺部材であり、その断面は逆凹字状に形成されており、枠材(A2)の下面に設けられた凹条がボード(A1)の上縁に嵌合できるようになっている。枠材(A2)の材質としては、アルミなどの金属あるいは合成樹脂などを用いることができる。
【実施例１】
【００３６】
吊掛機能付パーティション用枠材(10)は、図１に示すように、パーティション(A)に物品(G)を吊り下げ、或いは掛止することができるようパーティション(A)の上縁部に取り付けられる長尺物であり、図２に示すように、接続部(12)と、パーティション前面当接部(14)と、パーティション背面当接部(16)とで一体的に構成されている。
【００３７】
接続部(12)は、パーティション前面当接部(14)とパーティション背面当接部(16)とを接続するための長尺の板状部分であり、その幅はパーティション前面当接部(14)とパーティション背面当接部(16)との内幅(D)がパーティション(A)（本実施例では枠材(A2)）の幅(d)と略等しくなるように設定されており（図２参照）、その長さはパーティション(A)の長さに合わせて適宜設定される。なお、図示しないが、枠材(A2)が設けられておらず、パーティション(A)がボード(A1)だけで構成されている場合には、パーティション前面当接部(14)とパーティション背面当接部(16)との内幅(D)がボード(A1)の幅と略等しく設定されることになる。
【００３８】
パーティション前面当接部(14)は、前記接続部(12)の幅方向一方端縁から下方に向かって延びる板状部分であり、その下端端縁は枠材(A2)の下端端縁と略面一状態となるように設定されている。パーティション前面当接部(14)の板厚は特に限定されるものではないが、本実施例では、後述する溝(18)を形成できる程度に厚肉に形成されており、その中央には、パーティション前面当接部(14)の前面(14a)（パーティション(A)と対向しない側の面）側に開口する溝(18)がその長手方向全長に亘って形成されている。
【００３９】
溝(18)の断面形状は、パーティション前面当接部(14)の前面(14a)側にあらわれた開口部(18a)の上下方向の幅がパーティション前面当接部(14)の中心側に設けられた吊掛部(18b)の上下方向の幅よりも狭くなるような略Ｔ状に形成されており、開口部(18a)付近にあらわれた鍔部が係合用鍔部(20)とされる。なお、係合用鍔部(20)のうち上側が上側係合用鍔部(20a)であり、下側が下側係合用鍔部(20b)である。
【００４０】
パーティション背面当接部(16)は、前記接続部(12)の幅方向他方端縁から下方に向かって伸びる薄肉の板状部分であり、その下端端縁はパーティション前面当接部(14)と同様、枠材(A2)の下端端縁と略面一状態となるように設定されている。パーティション背面当接部(16)の板厚は特に限定されるものではないが、本実施例では、パーティション前面当接部(14)とは異なり溝(18)が形成されないので、その分、パーティション前面当接部(14)よりも薄く設定されている。
【００４１】
ここで、接続部(12)、パーティション前面当接部(14)、およびパーティション背面当接部(16)に囲まれた凹部が嵌合凹部(C)であり、この嵌合凹部(C)とパーティション(A)の上縁とが嵌合することになる。
【００４２】
なお、本実施例の吊掛機能付パーティション用枠材(10)においては、アルミニウムなどの金属を素材として形成された押出型材を所定寸法（ここでは、パーティション(A)の長手方向の長さ）にて切り出すことにより形成され、接続部(12)、パーティション前面当接部、およびパーティション背面当接部(16)が一つの部材として一体的に形成されている。
【００４３】
吊掛機能付パーティション用枠材(10)を使用する際には、まず、吊掛機能付パーティション用枠材(10)をパーティション(A)の長さに合わせて切断し、嵌合凹部(C)を下向きにした状態で吊掛機能付パーティション用枠材(10)をパーティション(A)の上縁（枠材(A2)）に取り付ける。そしてこれにより、パーティション装置(100)が完成することになる。なお、パーティション前面当接部(14)とパーティション背面当接部(16)との内幅(D)が枠材(A2)の幅(d)と略等しく設定されているので、吊掛機能付パーティション用枠材(10)と枠材(A2)との間には隙間が生じず、パーティション(A)に取り付けられた吊掛機能付パーティション用枠材(10)が幅方向にずれることはない。
【００４４】
これによりパーティション(A)に吊掛機能が付与されることになるが、図1に示すように物品(G)にフック機能がない場合には、たとえばS字フックなどの掛止部材(22)を利用すればよい。なお、掛止部材(22)はS字フックに限定されるものではなく、たとえば、ハンガーや後述するスライド掛止部材(24)などを用いることが可能である。
【００４５】
溝(18)はパーティション前面当接部(14)の長手方向全長に亘り凹設されているので、溝(18)に直接、或いは掛止部材(22)を介して吊り掛けられた物品(G)を、吊掛機能付パーティション用枠材(10)の長手方向に対して平行移動させることが可能である。ただし、吊掛機能付パーティション用枠材(10)の前後方向に対しては下側係合用鍔部(20b)の存在によりその変位量が規制されるため、溝(18)に直接、或いは掛止部材(22)を介して吊り掛けられた物品(G)が溝(18)から脱落することはない。なお、溝(18)には、電気機器の電源用コード等（図示せず）を収納するようにしてもよい。
【００４６】
本願発明の吊掛機能付パーティション用枠材(10)によれば、その断面形状が略コ状に形成されており、接続部(12)、パーティション前面当接部(14)、およびパーティション背面当接部(16)に囲まれた嵌合凹部(C)にパーティション(A)の上縁部を嵌め込むだけでその取り付けが完了するので、従来のように面倒な接着等を必要とせず、その取り付けが非常に簡便である。
【００４７】
また、パーティション前面当接部(14)とパーティション背面当接部(16)との内幅(D)がパーティション(A)の幅(d)と略等しくなるように設定されているので、吊掛機能付パーティション用枠材(10)のパーティション(A)への取り付け時に両部材間に隙間が生じることはない。したがって、パーティション(A)に取り付けた吊掛機能付パーティション用枠材(10)が幅方向にずれることがない。
【００４８】
さらにまた、吊掛機能付パーティション用枠材(10)はパーティション(A)の上縁に載置されるので、溝(18)に掛止或いは吊り下げられた物品(G)の総重量が大荷重となった場合であっても、吊掛機能付パーティション用枠材(10)がパーティション(A)から脱落するようなことがない。
【００４９】
上述の実施例では、掛止部材(22)としてＳ字フックを例示したが、図３〜図４に示すスライド掛止部材(24)を使用するようにしてもよい。
【００５０】
スライド掛止部材(24)は、物品(G)を吊り下げるために吊掛機能付パーティション用枠材(10)にスライド可能に取り付けられるものであり、スライド板部(26)とフック部(28)とで一体的に構成されている。
【００５１】
スライド板部(26)は、略四角形状の板状部分であり、溝(18)内にて長手方向に水平移動できるように、その上下方向の長さ(h1)が溝(18)における吊掛部(18b)の上下方向の幅(H1)よりも短く設定されており、厚み(t)は吊掛部(18b)の幅(T)よりも薄く設定されている。
【００５２】
スライド板部(26)の中央部分には、フック部(28)が接続されている。フック部(28)は、一端が前記スライド板部(26)の中央部分に接続され水平方向に向けて延びる基部(28a)と、基部(28a)の他端に接続され下方に向けて凹湾曲された湾曲部(28b)とで構成されている。
【００５３】
基部(28a)の上下方向の長さは、上側係合用鍔部(20a)と下側係合用鍔部(20b)との間の隙間(H2)よりも短めにされており、基部(28a)の下端からスライド板部(26)上端までの長さ(h2)は、前記隙間(H2)よりも長めに設定されている。これにより、溝(18)に嵌め込まれたスライド板部(26)の上端(26a)と下端(26b)とは、上側係合用鍔部(20a)および下側係合用鍔部(20b)にそれぞれ当接され、フック部(28)に物品(G)を吊り下げたときにスライド掛止部材(24)が溝(18)から脱落するのを防止できる。
【００５４】
スライド掛止部材(24)を使用する際には、まずスライド板部(26)の上端を溝(18)に嵌め込み、その後、スライド板部(26)の下端を溝(18)内に嵌め込む。前述したように、溝(18)はパーティション前面当接部(14)の全長に亘り形成されているので、溝(18)に嵌め込まれたスライド掛止部材(24)は、その長手方向全長に亘って位置調整自在にスライドでき、物品(G)を水平方向の任意の位置に吊り下げることができる。
【００５５】
吊掛機能付パーティション用枠材(10)においては、たとえば図５〜図６に示すような蓋部材(30)を必要に応じて取り付けるようにしてもよい。
【００５６】
蓋部材(30)は、吊掛機能付パーティション用枠材(10)の溝(18)を覆うための長尺部材であり、蓋部材本体(32a)と、鍔部(32b)と、カバー部(32c)とで構成されている。
【００５７】
蓋部材本体(32a)は、吊掛機能付パーティション用枠材(10)の溝(18)に嵌合できるようにその上下方向の長さ(l1)が前述した上側係合用鍔部(20a)と下側係合用鍔部(20b)との隙間(H2)よりも短めに設定されており、厚さ(l2)は吊掛部(18b)の幅(T)よりも薄く設定されている。
【００５８】
鍔部(32b)は、蓋部材(30)をパーティション前面当接部(14)の溝(18)に取り付けたときに係合用鍔部(20)と当接して蓋部材(30)が溝(18)から脱落することがないようにするためのものであり、蓋部材本体(32a)の挿入側端部の上縁及び下縁から断面鏃状に外方へ延びる鍔状部分である。
【００５９】
カバー部(32c)は吊掛機能付パーティション用枠材(10)の溝(18)およびパーティション前面当接部(14)の前面(14a)を覆うためのものであり、蓋部材本体(32a)の前面側端部の上縁及び下縁から、その外方へ向って延びる鍔状部材である。カバー部(32c)の上下方向の長さ(l3)は、本実施例では、パーティション前面当接部(14)の上下方向の長さ(H3)よりも短めに設定されており、パーティション前面当接部(14)の前面(14a)が部分的に見えるようになっている（勿論、パーティション前面当接部(14)の上下方向の長さ(H3)よりも長めに設定して、パーティション前面当接部(14)を完全に隠すようにしてもよい）。
【００６０】
なお、蓋部材(30)を構成する蓋部材本体(32a)、鍔部(32b)、およびカバー部(32c)は、常温で弾性や可撓性を有するある程度ソフトな（或いは逆に少し硬い）エラストマー樹脂のような高分子材料によって一体的に形成されている。
【００６１】
蓋部材(30)を使用する際には、溝(18)があらわれている部分の長さに合わせて蓋部材(30)を適宜切断し、係合用鍔部(20)に蓋部材(30)の鍔部(32b)を係合させる。これにより、吊掛機能付パーティション用枠材(10)に蓋部材(30)が取り付けられることとなり、溝(18)が蓋部材(30)によって覆われ、溝(18)内に埃が溜まるのを防止できる。
【００６２】
なお、溝(18)は蓋部材(30)によって完全に覆われることになるので、溝(18)に図示しない配線を収納した場合には、蓋部材(30)が目隠しとして機能し、溝(18)に収納された配線が外部から直接見えることがない。
【００６３】
前述の実施例では、パーティション前面当接部(14)にのみ溝(18)を形成していたが、たとえば、図７に示す吊掛機能付パーティション用枠材(40)のように、パーティション前面当接部(14)とパーティション背面当接部(16)の両方に溝(18)を設けるようにしてもよい。なお、この場合には、パーティション背面当接部(16)の板厚は溝(18)を形成することができる程度に肉厚に形成される。
【００６４】
また、図８に示す吊掛機能付パーティション用枠材(42)のように、パーティション前面当接部(14)、パーティション背面当接部(16)、および接続部(12)のそれぞれに溝(18)を設けるようにしてもよく、この場合には、接続部(12)の板厚が溝(18)を形成することができる程度に肉厚に形成される。
【００６５】
なお、上述した吊掛機能付パーティション用枠材(42)の場合、接続部(12)とパーティション前面当接部(14)との突合せ部分、および接続部(12)とパーティション背面当接部(16)との突合せ部分には、軽量化のために断面略Ｌ状の空隙(44)が形成されている。
【００６６】
さらにまた、図９に示す吊掛機能付パーティション用枠材(46)のように、接続部(12)に複数の溝(18)を形成するようにしてもよい。本実施例では３つの溝(18)が幅方向に並んで形成されており、両端に位置する溝(181)(183)は断面横Ｔ字状に形成され、中央に位置する溝(182)は断面逆Ｔ字状に形成されているが、いずれの場合においても開口部(18a)の方が吊掛部(18b)よりも狭くなっている。
【００６７】
なお、本実施例においては、パーティション前面当接部(14)およびパーティション背面当接部(16)の下端端縁には内側を向いた爪部(48)が一体的に形成されており、枠材(A2)の下端部に係止できるようになっている。これによれば、パーティション(A)に吊掛機能付パーティション用枠材(46)をより確実に固定することができる。もちろん、この爪部(48)を他の実施例に適用することも当然可能である。
【実施例２】
【００６８】
次に、図１０に示す第２実施例の吊掛機能付パーティション用枠材(50)について説明する。本発明の吊掛機能付パーティション用枠材(50)は、溝(18)の代わりに掛止部(52)を設けた例であり、接続部(12)、パーティション前面当接部(14)、およびパーティション背面当接部(16)により構成されている。なお、本実施例では、パーティション前面当接部(14)の構成が第１実施例のものと一部異なる点で相違する以外は一致する。そこで、以下にはその異なる部分だけを説明することとし、一致部分の構成については前述実施例の記載を援用する。
【００６９】
パーティション前面当接部(14)は、前記接続部(12)の幅方向一方端縁から延びる薄板状部分であり、その下端端縁にはその全長に亘り断面逆Ｌ字状の掛止部(52)が一体的に形成されている。なお、パーティション前面当接部(14)と掛止部(52)との間の間隙が掛止用開口(54)であり、この係止用開口(54)が上向きとなるように掛止部(52)が形成されることになる。
【００７０】
吊掛機能付パーティション用枠材(40)の使用時には、掛止部材(22)を掛止用開口(54)に引っ掛け、この掛止部材(22)に物品(G)を吊り下げる。
【００７１】
本実施例の吊掛機能付パーティション用枠材(50)においても、前述第１実施例と同様の効果を得ることができる。すなわち、接続部(12)、パーティション前面当接部(14)、およびパーティション背面当接部(16)に囲まれた嵌合凹部(C)にパーティション(A)の上縁部を嵌め込むだけでその取り付け作業が完了するので、従来のように面倒な接着作業等の必要がない。また、パーティション前面当接部(14)とパーティション背面当接部(16)との内幅(D)がパーティション(A)の幅(d)と略等しくなるように設定されているので、パーティション(A)に取り付けた吊掛機能付パーティション用枠材(50)が幅方向にずれることがない。さらにまた、吊掛機能付パーティション用枠材(10)はパーティション(A)の上縁に載置されるので、大重量の物品(G)を掛止部(52)に掛止或いは吊り下げた場合であっても、吊掛機能付パーティション用枠材(50)がパーティション(A)から脱落するようなことがない。
【００７２】
なお、図１１に示す吊掛機能付パーティション用枠材(56)のように、パーティション前面当接部(14)とパーティション背面当接部(16)の両方に掛止部(52)を形成するようにしてもよい。この場合には、パーティション(A)の前後両面に物品(G)を吊るすことができ、パーティション(A)をより有効に活用できる。
【実施例３】
【００７３】
前述実施例では、接続部(12)の幅方向一方端縁から下方向に延びる板状部分をパーティション前面当接部(14)とし、かつ、接続部(12)の幅方向他方端縁から下方向に延びる板状部分をパーティション背面当接部(16)とし、これにより接続部(12)の下方に嵌合凹部(C)を形成するようにしていたが、図１２に示す吊掛機能付パーティション用枠材(58)のように、接続部(12)の幅方向一方端縁から上下方向に延びる板状部分をパーティション前面当接部(14)とし、かつ、接続部(12)の幅方向他方端縁から上下方向に延びる板状部分をパーティション背面当接部(16)とすることで接続部(12)の上下に嵌合凹部(C)を形成するようにしてもよい。なお、本実施例では、接続部(12)、パーティション前面当接部(14)、およびパーティション背面当接部(16)の中央部に軽量化のための空隙(59)が設けられている。また、パーティション(A)はボード(A1)だけで構成されており、枠材(A2)は設けられていない。
【００７４】
本実施例の吊掛機能付パーティション用枠材(58)によれば、パーティション(A)の上縁に設けられた吊掛機能付パーティション用枠材(58)の上に更にパーティション(A)を設置することができるので、室内のより自由なレイアウトが可能となる。
【実施例４】
【００７５】
次に、図１３に示す第３実施例の吊掛機能付パーティション用枠材(60)について説明する。本実施例の吊掛機能付パーティション用枠材(60)は、接続部の幅をパーティション(A)の幅に応じて適宜調整できるようにした例であり、接続部(62)、パーティション前面当接部(14)、およびパーティション背面当接部(16)により構成されている。なお、本実施例では、接続部(62)の構成が第１実施例のものと一部異なる点で相違する以外は一致する。そこで、以下にはその異なる部分だけを説明することとし、一致部分の構成については前述実施例の記載を援用する。
【００７６】
接続部(62)は、第１接続部材(64)と第２接続部材(66)とで構成されている。第１接続部材(64)は、一端がパーティション前面当接部(14)に接続される板状部材であり、他端端面（第２接続部材(66)と対向する側の面）には、第２接続部材(66)に向かって延びる噛合凸部(64a)が形成されている。
【００７７】
噛合凸部(64a)は、第１接続部材(64)よりも薄い板状部分であり、その上面（勿論、下面でもよい）には、長手方向に延びる複数（本実施例では４つ）の突条(64b)が形成されている。
【００７８】
第２接続部材(66)は、一端がパーティション前面当接部(14)に接続される板状部材であり、その中央には、第１接続部材(64)と対向する側に開口する噛合凹部(66a)が形成されている。
【００７９】
噛合凹部(66a)の内面（本実施例では上面）には、噛合凸部(64a)の突条(64b)に対応する複数の凹条(66b)が形成されており、噛合凹部(66a)と噛合凸部(64a)とが噛合できるようになっている。
【００８０】
なお、本実施例の吊掛機能付パーティション用枠材(60)においては、第１接続部材(64)とパーティション前面当接部(14)とが一体的に形成されており、また、第２接続部材(66)とパーティション背面当接部(16)とが一体的に形成されている。（つまり、吊掛機能付パーティション用枠材(60)が２つの部材に分かれて形成されていることを意味する。）
本実施例の吊掛機能付パーティション用枠材(60)の取り付け方法について簡単に説明する。まず、吊掛機能付パーティション用枠材(60)をパーティション(A)の長さに合わせて切断する。次に、パーティション前面当接部(14)とパーティション背面当接部(16)の内幅(D)がパーティション(A)の幅(d)と略等しくなるように噛合凸部(64a)と噛合凹部(66a)とを噛合させ、吊掛機能付パーティション用枠材(60)を組み立てる。そして、接続部(62)、パーティション前面当接部(14)、およびパーティション背面当接部(16)に囲まれた嵌合凹部(C)を下向きの状態とし、吊掛機能付パーティション用枠材(60)をパーティション(A)の上縁に取り付けることで取り付け作業が完了し、これによりパーティション装置(100)が完成する。
【００８１】
本実施例では、前述第１実施例および第２実施例と同様の効果を奏することができる。加えて、接続部(62)が第１接続部材(64)と第２接続部材(66)とに分割されており、噛合凸部(64a)と噛合凹部(66a)との噛合位置を変更することでパーティション前面当接部(14)とパーティション背面当接部(16)間の内幅(D)を調整できるので、幅(d)の異なるパーティション(A)であっても一種類の吊掛機能付パーティション用枠材(60)で取り付けることができる。
【００８２】
最後に、これは前述した全ての実施例において適用できることであるが、吊掛機能付パーティション用枠材(10)(40)(42)(46)(50)(56)(58)(60)におけるパーティション(A)と対向する側の面に図示しない緩衝材を配設するようにしてもよい。ここで緩衝材としては、ゴムやスポンジなどの弾性部材を好適に使用できる。
【００８３】
本実施例によれば、パーティション(A)に吊掛機能付パーティション用枠材(10)(40)(42)(46)(50)(56)(58)(60)を取り付けた時にパーティション(A)と吊掛機能付パーティション用枠材(10)(40)(42)(46)(50)(56)(58)(60)とが直接接触することがないので、両部材の摩耗等による損傷や異音の発生を防止することができる。
【産業上の利用可能性】
【００８４】
本発明の活用例としては、前述したパーティションへの取り付けの他、机上に立設されたピンナップボードへの取り付けが可能である。
【図面の簡単な説明】
【００８５】
【図１】本発明の一実施例を示す一部切欠斜視図である。
【図２】吊掛機能付パーティション用枠材の取付方法を示す図である。
【図３】スライド掛止部材の使用状態を示す一部切欠斜視図である。
【図４】スライド掛止部材の取付方法を示す図である。
【図５】蓋部材の使用状態を示す一部切欠斜視図である。
【図６】蓋部材の取付方法を示す図である。
【図７】吊掛機能付パーティション用枠材の変形例を示す図である。
【図８】吊掛機能付パーティション用枠材の他の変形例を示す図である。
【図９】吊掛機能付パーティション用枠材のさらに他の変形例を示す図である。
【図１０】吊掛機能付パーティション用枠材の第２実施例を示す図である。
【図１１】第２実施例における変形例を示す図である。
【図１２】吊掛機能付パーティション用枠材の第３実施例を示す図である。
【図１３】吊掛機能付パーティション用枠材の第４実施例を示す図である。
【図１４】従来例を示す図である。
【符号の説明】
【００８６】
１０  吊掛機能付パーティション用枠材
１２  接続部
１４  パーティション前面当接部
１６  パーティション背面当接部
１８  溝
２０  係合用鍔部
２２  掛止部材
２４  スライド掛止部材
３０  蓋部材
【図１】
2005083146.tif 000003
【図２】
2005083146.tif 000004
【図３】
2005083146.tif 000005
【図４】
2005083146.tif 000006
【図５】
2005083146.tif 000007
【図６】
2005083146.tif 000008
【図７】
2005083146.tif 000009
【図８】
2005083146.tif 000010
【図９】
2005083146.tif 000011
【図１０】
2005083146.tif 000012
【図１１】
2005083146.tif 000013
【図１２】
2005083146.tif 000014
【図１３】
2005083146.tif 000015
【図１４】
2005083146.tif 000016